(57)【要約】【課題】  撮像素子で撮影した被写体画像を表示するモニタ装置に適用可能なＥＬ表示装置を提供するとともに、モニタ装置の大型化を実現するとともに、カメラの各種スイッチの操作性を改善したデジタルカメラを提供する。【解決手段】  撮像素子で撮像した被写体画像を表示するモニタ装置９を備えるデジタルカメラであって、モニタ装置９をＥＬディスプレイ１０とスイッチ基板１１とで構成し、カメラ本体１の後面のほぼ全領域にわたって配設し、ＥＬディスプレイ１０の表面を押圧してスイッチ動作をさせる。カメラ本体を小型化してもモニタ画面は小さくならず、撮像スルー画像や再生像が見やすくなる。モニタ装置の表示を利用して各種操作用のスイッチを構成するのでスイッチの配列に余裕ができ、スイッチ接片を弾性変形してオン・オフ動作させることでクリック感が得られてスイッチ操作性を高める。【選択図】  図２
2007036492.tif 000002
【特許請求の範囲】
【請求項１】
任意の画像を表示するように構成されたＥＬ（エレクトロルミネッセンス）装置と、前記ＥＬ装置の内面に沿って配設され、前記ＥＬ装置の表面を押圧したときに動作するスイッチ手段を備え、前記スイッチ手段は弾性変形されて接点をオン・オフ動作させるスイッチで構成されていることを特徴とするＥＬ表示装置。
【請求項２】
撮像素子で撮像した被写体画像を表示するモニタ装置を備えるデジタルカメラであって、前記モニタ装置をＥＬ表示装置で構成してカメラ本体の一面のほぼ全領域にわたって配設し、前記ＥＬ表示装置を請求項１に記載のＥＬ表示装置で構成したことを特徴とするデジタルカメラ。
【請求項３】
前記ＥＬ装置は前記被写体画像の他に各種モード情報や前記スイッチ手段の機能を示す表示を行うことを特徴とする請求項２に記載のデジタルカメラ。
【請求項４】
前記スイッチ手段は絶縁基板の表面にスイッチパッドが形成され、押圧されたときに弾性変形してスイッチパッドに接触するスイッチ片を有することを特徴とする請求項２又は３に記載のデジタルカメラ。
【請求項５】
前記カメラ本体にはいずれか一方を選択して有効にする２つのレリーズ釦が左右位置に設けられ、有効にされたレリーズ釦に対応して前記モニタ装置の表示形態を変更することを特徴とする請求項２ないし４のいずれかに記載のデジタルカメラ。
【請求項６】
撮影者による利き腕設定が可能であり、当該利き腕設定によりいずれか一方のレリーズ釦を有効にすることを特徴とする請求項５に記載のデジタルカメラ。
【請求項７】
右利き設定のときにはカメラ本体の背面から見て右側のレリーズ釦を有効にするとともにモニタ装置の表示面の右側にスイッチ手段の機能を表示し、左利き設定のときにはカメラ本体の背面から見て左側のレリーズ釦を有効にするとともにモニタ装置の表示面の左側にスイッチ手段の機能を表示することを特徴とする請求項６に記載のデジタルカメラ。
【請求項８】
自分撮り設定のときには右側又は左側のいずれかのレリーズ釦を有効にするとともに、有効にしたレリーズ釦を表示することを特徴とする請求項６に記載のデジタルカメラ。
【請求項９】
前記各レリーズ釦には発光素子が設けられ、有効とされたレリーズ釦の発光素子を発光させることを特徴とする請求項７又は８に記載のデジタルカメラ。
【請求項１０】
前記レリーズ釦はＥＬ装置と、その内側に配設されたスイッチ手段とで構成され、有効にされたレリーズ釦側のＥＬ装置がレリーズ釦表示を行うことを特徴とする請求項７ないし９のいずれかに記載のデジタルカメラ。
【発明の詳細な説明】
【技術分野】
【０００１】
本発明はＥＬ（エレクトロルミネッセンス）表示装置と、当該ＥＬ表示装置をモニタ装置として構成したデジタルカメラに関し、特に被写体画像を表示するモニタ装置の大型化を図ったデジタルカメラに関するものである。
【背景技術】
【０００２】
現在提供されているデジタルカメラのモニタ装置としてＬＣＤ（液晶表示装置）が用いられている。このモニタ装置はカメラの後面に配設されるが、カメラの後面にはモニタ装置を見ながら操作する各種スイッチが配設されるため、モニタ装置の表示画面はこれらスイッチと干渉しない領域に配設せざるを得ず、画面面積を大きくすることには限界がある。特に近年では、カメラサイズの小型化が進められているためモニタ装置の表示面積を大きくするのはますます難しくなっている。そのため、モニタ装置に表示される被写体画像のフレーミングや撮影した画像のピントを確認することが難しい。また、モニタ装置に各種の設定画面を表示して例えばモード設定を行うように構成しているが、文字が小さくて見にくく、設定操作が難しいものになっている。
【０００３】
このような問題に対し、いわゆるタッチパネルを利用することが考えられる。例えば、特許文献１では、携帯電話機の入力装置として、ＥＬ（エレクトロルミネッセンス）装置とタッチパネルとを積層して配置し、ＥＬ装置の表面を指等で押圧して下層のタッチパネルをスイッチ動作させるようにした入力装置が提案されている。この入力装置を用いれば、ＥＬ装置に表示する文字等を大きく表示することができ、モード設定等の各種設定操作の容易化が可能になる。
【特許文献１】特開２００５−６３４１３号公報
【発明の開示】
【発明が解決しようとする課題】
【０００４】
特許文献１の技術は入力装置であり、タッチパネルのスイッチ機能に対応した表示を行うのに限られている。そのため、特許文献１の技術をデジタルカメラに適用した場合には、各種の設定の操作性を改善することができるようになり、またＥＬ装置で各種スイッチを構成することでスイッチが占有する面積を低減することが可能になり、その分モニタ装置を大型化する上では有利になる。しかしながら、特許文献１の入力装置に被写体画像を表示することはできないため、少なくとも入力装置を配設する領域には依然としてモニタ装置を配設することができず、モニタ装置をカメラの後面の全領域にわたるまで拡大し、カメラを小型化する一方でモニタ装置を大型化することは困難である。また、特許文献１の入力装置ではＥＬ装置の表面に指等で触れてタッチパネルをスイッチ動作させる際に、タッチパネルにクリック感が得られないため、スイッチが動作したことを指で感じることができず、接触が不十分でスイッチが動作しない場合もあり、撮影者が不安を感じてしまうこともある。
【０００５】
本発明の目的は、スイッチ動作を触感することが可能なＥＬ表示装置と、このＥＬ表示装置をモニタ装置として構成することでモニタ装置の大型化を実現したデジタルカメラを提供するものである。
【課題を解決するための手段】
【０００６】
本発明は、任意の画像を表示するように構成されたＥＬ装置と、ＥＬ装置の内面に沿って配設され、ＥＬ装置の表面を押圧したときに動作するスイッチ手段を備え、スイッチ手段は弾性変形されて接点をオン・オフ動作させるスイッチで構成されていることを特徴とする。また、本発明は、撮像素子で撮像した被写体画像を表示するモニタ装置を備えるデジタルカメラであって、モニタ装置をＥＬ表示装置で構成してカメラ本体の一面のほぼ全領域にわたって配設し、当該ＥＬ表示装置を前記ＥＬ表示装置で構成する。ＥＬ装置には被写体画像の他に各種モード情報やスイッチ手段の機能を示す表示を行うことも可能である。また、スイッチ手段は、例えば絶縁基板の表面にスイッチパッドが形成され、押圧されたときに弾性変形してスイッチパッドに接触するスイッチ片を有する構成とする。
【０００７】
また、本発明は、カメラ本体にはいずれか一方を選択して有効にする２つのレリーズ釦が左右位置に設けられ、有効にされたレリーズ釦に対応してモニタ装置の表示形態を変更する構成としてもよい。この場合において、撮影者による利き腕設定が可能であり、当該利き腕設定によりいずれか一方のレリーズ釦を有効にすることを可能にする。例えば、右利き設定のときにはカメラ本体の背面から見て右側のレリーズ釦を有効にするとともにモニタ装置の表示面の右側にスイッチ手段の機能を表示し、左利き設定のときにはカメラ本体の背面から見て左側のレリーズ釦を有効にするとともにモニタ装置の表示面の左側にスイッチ手段の機能を表示する。あるいは、自分撮り撮影のときには左右のいずれかのレリーズ釦を有効にし、かつこれを表示する。また、各レリーズ釦には発光素子が設けられ、有効とされたレリーズ釦の発光素子を発光させる構成とする。あるいは、レリーズ釦はＥＬ装置と、その内側に配設されたスイッチ手段とで構成され、有効にされたレリーズ釦側のＥＬ装置がレリーズ釦表示を行う構成とする。
【発明の効果】
【０００８】
本発明によれば、ＥＬ表示装置を構成しているＥＬ装置の表面を指で押圧してスイッチ手段のスイッチを動作させたときに、スイッチ手段の接点が弾性変形してオン・オフ動作するため、スイッチ動作が触感でき、確実なスイッチ動作が可能になる。また、モニタ装置の表示画面をカメラ本体の後面のほぼ全領域にわたって形成するのでカメラ本体を小型化してもモニタ画面が小さくなることはなく、撮像スルー画像による撮影フレーミングが容易になり、再生像のピントの確認が容易になる。さらに、モニタ装置の表示を利用して各種操作用のスイッチを構成するのでスイッチの配列に余裕ができ、スイッチ操作性を高めるとともにスイッチ機能を大きく表示して見易くすることができる。
【０００９】
また、本発明によれば、左右にレリーズ釦を備えて、設定によりいずれかのレリーズ釦を有効にしているので、撮影者の利き腕に左右されず、しかも自分撮りの場合でも撮影時の操作性を改善するとともに、モード設定等の各種スイッチの操作性を向上することができる。この場合、有効となるレリーズ釦に対応させてモニタ装置の表示形態を変更させることで、モニタ装置で表示されるスイッチ機能の操作性を改善し、またスルー画像や再生画像が見易くなる。
【実施例１】
【００１０】
次に、本発明の実施例を図面を参照して説明する。図１及び図２は本発明の実施例１のデジタルカメラを前方及び後方から見たそれぞれの外観斜視図である。実施例１のデジタルカメラはカメラ本体１の前面のほぼ中央位置に出没可能な撮影レンズ２が配設される。また、撮影レンズ２の上側には自分撮りミラー３とストロボ４が配設される。自分撮りミラー３は撮影者自身を撮影する際に自分撮りミラー３で反射される自身を確認することで撮影範囲を設定する際に利用するものである。また、前記カメラ本体１の上面にはメインスイッチ５、再生釦６、ディスプレイ表示釦７が配設され、これらの両側には左レリーズ釦８Ｌと右レリーズ釦８Ｒがそれぞれ配設される。ここで左レリーズ釦８Ｌと右レリーズ釦８Ｒはそれぞれカメラ本体１の後面側から見た左右を示している。これらの左レリーズ釦８Ｌと右レリーズ釦８Ｒは後述する設定によりいずれかのレリーズ釦を押下することにより撮影を可能とするものである。さらに、前記カメラ本体１の後面にはほぼ全面領域にわたって表示面を有するＥＬ装置（ＥＬディスプレイ）１０と、このＥＬディスプレイ１０の内側に配設されて複数のスイッチＳＷを有するスイッチ基板１１を含むＥＬ表示装置として構成されたモニタ装置９が配設される。
【００１１】
図３（ａ）は前記モニタ装置９の図２のＡ−Ａ線に相当する箇所の拡大断面図である。モニタ装置９、すなわちＥＬ表示装置は前述のように表面側のＥＬディスプレイ１０と、その内側の下層に配設されたスイッチ基板１１とで構成される。スイッチ基板１１は絶縁基板１１１の表面に所要の銅箔パターンでドーナツ状のスイッチパッド１１２及びその中心位置に配されたスイッチパッド１１３と、図には表れない回路パターンが形成されるとともに、スイッチパッド１１２上に半円弧状に湾曲して配設された導電性バネ材からなるスイッチ片１１４で構成されたスイッチＳＷが構成されている。前記スイッチ片１１４はスイッチパッド１１３上を跨ぐようにして周辺部がスイッチパッド１１２に電気的及び機械的に接続されており、図３（ｂ）に示すように、ＥＬディスプレイ１０の表面を指Ｆ等で押圧して内側に弾性変形させるこことによりスイッチ片１１４の中央部分を表面側から押圧して弾性変形させ、その中央部分をスイッチパッド１１３に接触させることでスイッチＳＷをオンさせるものである。このスイッチＳＷはスイッチ基板１１の複数の所要箇所に配設されており、この実施例１のモニタ装置９では、図２に示したように、カメラ本体１の背面のモニタ装置９の領域内の左右各領域に横２列、縦４列にスイッチＳＷが配設されている。
【００１２】
前記ＥＬディスプレイ１０はフルカラーＥＬディスプレイとして構成されており、全体として若干の可撓性のあるシート状に形成され、基板側フィルム１０１と裏面側フィルム１０２との間にＥＬ部１０３を挟んだ構成である。図４（ａ）はその一部の拡大断面図であり、基板側フィルム１０１は不透明な樹脂フィルムで構成され、表面側フィルム１０２は透明な樹脂フィルムで構成される。例えば、厚さが７５μｍ程度のＰＥＴ（ポリエチレンテレフタレート），ＰＥＳ（ポリエーテルサルフォン），ＰＡｒ（ポリアリレート），ＰＣ（ポリカーボネート）等の不透明及び透明な樹脂フィルムで構成される。
【００１３】
ＥＬ部１０３は、Ｒ（赤色），Ｇ（緑色），Ｂ（青色）の各画素１０４を平面マトリクス配列したものである。図４（ｂ）に画素１０４の一部を拡大図示するように、前記表面側フィルム１０２の裏面上に防湿バリア膜１１１が形成され、その上にＩＴＯ（Indium Tin Oxide：酸化インジウム錫）からなる25〜100 ｎｍの膜厚の透明な基板側電極１１２が所要パターンに形成され、その上に各画素に対応して絶縁層１１３、発光層１１４、絶縁層１１５が形成される。さらにその上にＩＺＯ（Indium Zinc Oxide ：酸化インジウム亜鉛）電極からなる25〜100 ｎｍの膜厚の透明な表面側電極１１６、防湿バリア層１１７が形成されたものである。前記各絶縁層１１３，１１５は0.2 〜0.3 μｍの膜厚の二酸化シリコン膜が用いられ、前記防湿バリア膜１１１，１１７は同程度の膜厚の窒化シリコン膜が用いられる。発光層１１４は0.5 〜１μｍの厚さであり、無機ＥＬとして構成したときには赤色画素にＣａＳ：Ｅｕ，ＺｎＳ：Ｓｍ等、緑色画素にＺｎ：Ｔｂ等、青色画素にＳｒＳ：Ｃｅ，ＣａＧａ2Ｓ4：Ｃｅ等が用いられる。また、有機ＥＬとして構成したときには赤色画素にＥｕ（ＤＢＭ）3（Ｐｈｅｎ）（Ｅｕ錯体）、緑色画素にＡｌｑ（８−キノリノラトアルミニウム錯体）、青色画素にＤＰＶＢｉ（ジスチリル誘導体）が用いられる。
【００１４】
このＥＬディスプレイ１０は基板側電極１１２と表面側電極１１６との間に所要の電圧を印加して発光層に高電界を印加することにより発光層１１４がそれぞれ発光して赤色光、緑色光、青色光を出射する。したがって、所望の画素を選択して発光させることで、ＥＬディスプレイ１０において所望のカラーパターン（カラー画像）を表示させることが可能である。また、両電極１１２，１１６間に電圧を印加しないときにはＥＬディスプレイ１０は透明な状態となるが、基板側フィルムが不透明であるためＥＬディスプレイ１０の内側の前記スイッチ基板１１が表面側から露見されることはない。
【００１５】
前記左右の各レリーズ釦８Ｌ，８Ｒは、図５（ａ）に図１のＢ−Ｂ線拡大断面図を示すように、スイッチ基板８１に光透過性の樹脂材で釦体８２を形成し、その一端部に設けた易変形部８３によりカメラ本体１の上飾り１ａに支持している。この釦体８２の表面は前記上飾り１ａに設けた開口１ｂから露出させて撮影者が押下できるように構成される。また、スイッチ基板８１は前記モニタ装置９のスイッチ基板１１と同様に構成されており、絶縁基板８１１上に形成されたスイッチパッド８１２，８１３と円弧状のスイッチ片８１４とで構成される。さらに、釦体８２の下面には前記スイッチ片８１４を覆うように別のスイッチパッド８１６上に一端支持された導電性のバネ材からなる第２スイッチ片８１５が当接されている。また、釦体８２の直下のスイッチ基板８１には所要の色で発光するＬＥＤ（発光ダイオード）８４が搭載されている。
【００１６】
このレリーズ釦では、図５（ｂ）に示すように、釦体８２を指Ｆで半分だけ押下したときに第２スイッチ片８１５を弾性変形して下方に撓めてスイッチ片８１４に接触してスイッチパッド８１６と８１２を導通させてオン状態となり、測光スイッチとして動作する。さらに、図５（ｃ）に示すように、釦体８２を押下して全押しすると、第２スイッチ片８１５と共にスイッチ片８１４が弾性変形して下方に撓められてスイッチパッド８１３に接触してスイッチパッド８１２と８１３を導通させてオン状態となり、レリーズスイッチとして動作する。また、ＬＥＤ８４が発光したときにはその光は釦体８２を透過してカメラの上方から視認できるようになっている。
【００１７】
図６は実施例１のカメラのブロック構成図である。撮影レンズ２で結像された被写体像をシャッタ２０２で絞り、光学ローパスフィルタ２０３を通して撮像したＣＣＤ素子等で構成される撮像素子２０１からの撮像信号はアンプ（ＡＭＰ）２０４で増幅され、Ａ／Ｄ変換器２０５においてデジタルの画像信号に変換される。このデジタル画像信号は信号処理回路２０６においてカラープロセス処理やガンマ補正等の所定の信号処理が施され、圧縮回路２０７において圧縮され、あるいは圧縮されることなくＶＲＡＭ（画像メモリ）２０８に書き込まれる。前記撮像素子２０１は、ＣＰＵ２００がクロックジェネレータ２０９を介してＣＣＤドライバ２１０を制御することによって、撮像時における撮像素子２０１での蓄積時間を設定することが可能にされている。
【００１８】
前記ＣＰＵ２００は被写体を撮像する際には撮像素子２０１で撮像した撮像信号に基づいてＡＦ（自動焦点）駆動機構２１１を制御する。また、シャッタ・絞り駆動機構２１２を制御してシャッタを兼用している前記絞り２０２を制御する。また、撮影レンズ２の焦点距離を変化させるズーム機構２１３を制御する。さらに、前記ストロボ４を発光させるストロボ制御部２１４を制御する。また、前記撮像素子２０１の撮像信号を利用して露出制御部２１５を制御し、露出を測定する。また、前記ＥＬディスプレイ１０を駆動して被写体画像や所定の表示パターンの表示を行うためのＥＬ駆動回路２１６が設けられており、前記再生釦６やディスプレイ表示釦７が操作されたときにＣＰＵ２００はＥＬ駆動回路２１６を動作させてＥＬディスプレイ１０での表示を行うことが可能とされている。
【００１９】
前記ＣＰＵ２００には、メインスイッチ５の操作情報と、左右の各レリーズ釦８Ｌ，８Ｒの押し込みにより動作される測光スイッチとレリーズスイッチのスイッチ情報と、再生釦６及びディスプレイ表示釦７の各操作情報が入力される。また、前記モニタ装置９を構成しているスイッチ基板１１のスイッチ情報が入力可能とされている。なお、実施例１ではディスプレイ表示釦７を所定時間だけ押し続けるとモニタ装置９はモード設定メニュー表示となり、表示されたメニューによりスイッチＳＷを操作することでモニタ装置９に表示されたモードへのモード設定が可能に構成されている。
【００２０】
以上の構成のデジタルカメラにおける撮影フローを図７のメインフローチャートと図８のサブフローチャートを参照して説明する。電池室に電池が挿入されて電池蓋が閉じると（Ｓ１０１，Ｓ１０２）、ＣＰＵ２００は内蔵カウンタのカウント値ＮをＮ＝０に設定する（Ｓ１０３）。メインスイッチ５がオンされたことを確認すると（Ｓ１０４）、カウント値ＮをＮ＝Ｎ＋１とする（Ｓ１０５）。そして、カウント値を判定し（Ｓ１０６）、カウント値がＮ＝１のときには、撮影者に「利き腕設定」を行わせる（Ｓ１０７）。このときにはモニタ装置９は強制的に「利き腕設定」表示となり、撮影者は「右利き」あるいは「左利き」のいずれかを設定する。ステップＳ１０６においてカウント値ＮがＮ≧２のときには既に「利き腕設定」が行われているのでステップＳ１０７は行わない。
【００２１】
「利き腕設定」が完了すると、モード設定を含む初期設定用の各種入力操作が行われる（Ｓ１０８）。この入力操作では、例えば、ステップＳ１０７において「右利き」に設定されたときには、モニタ装置９の撮影モード設定画面は図９（ａ）のように、モニタ装置９の画面の左領域にメニューが表示され、右領域に複数のスイッチＳＷにそれぞれ規定されるスイッチ機能が表示される。これらのスイッチ機能の表示はスイッチ基板１１に配設した各スイッチＳＷに対応する位置であり、撮影者は表示された機能位置の画面、すなわちＥＬディスプレイ１０の表面を図３（ｂ）に示したように押圧することで下層に配設されているスイッチ基板１１のスイッチＳＷをオン動作させることができ、各種設定が可能になる。したがって、右利きの撮影者が右手でスイッチ操作を行うのに有利になる。また、ステップＳ１０７において「左利き」に設定されたときには、撮影モード設定画面は図９（ｂ）のように、モニタ装置９の画面の右領域にメニューが表示され、左領域に各スイッチのスイッチ機能が表示される。この場合は左利きの撮影者が左手でスイッチ装置を行うのに有利になる。
【００２２】
また、ステップＳ１０７において「利き腕設定」が行われたときには、ＣＰＵ２００は右利きに設定されたときには右レリーズ釦８ＲのＬＥＤ８４を発光するとともに、以降は右レリーズ釦８Ｒの測光スイッチとレリーズスイッチを有効とするようにカメラを設定する。これにより、撮影者は発光された右レリーズ釦８Ｒが有効であることを認識し、右手でカメラを持って右レリーズ釦を用いて撮影を行うことが可能になる。左利きに設定されたときには左レリーズ釦８ＬのＬＥＤ８４を発光し、以降は左レリーズ釦８Ｌの測光スイッチとレリーズスイッチを有効とするようにカメラを設定する。
【００２３】
次いで、ＣＰＵ２００は「利き腕設定」の設定を確認すると（Ｓ１１０）、「自分撮り設定」が行われているか否かを判断する（Ｓ１１１）。この「自分撮り設定」はステップＳ１０８における入力操作時に設定する。この「自分撮り設定」が行われていないときは設定をそのままとするが、「自分撮り設定」が行われたときにはＣＰＵ２００は左右のレリーズ釦８Ｌ，８Ｒに対する設定を変更する。すなわち、右レリーズ釦８Ｒを有効にする設定が行われていたときには、左レリーズ釦８ＬのＬＥＤ８４に発光を切り替えるとともに、以降は左レリーズ釦８Ｌの測光スイッチとレリーズスイッチを有効とするように設定を変更する（Ｓ１１２）。これにより、撮影者は左レリーズ釦８Ｌが有効であることを認識し、右手で保持したカメラを自分に向けて構え、右手で左レリーズ釦８Ｌを操作しての撮影が可能になる。逆に、左レリーズ釦８Ｌを有効にする設定が行われていたときには、右レリーズ釦８ＲのＬＥＤ８４に発光を切り替えるとともに、以降は右レリーズ釦８Ｒの測光スイッチとレリーズスイッチを有効とするように設定を変更する（Ｓ１１２）。これにより、撮影者は右レリーズ釦８Ｒが有効であることを認識し、左手で保持したカメラを自分に向けて構え、左手で右レリーズ釦８Ｒを操作しての撮影が可能になる。しかる後、ＣＰＵ２００は、メインスイッチがオフされていないことを確認した上で（Ｓ１１３）、撮像フローＳ１１４を実行する。
【００２４】
この撮像フローＳ１１４は、図８に示すように、露出制御部２１５において測光を行い（Ｓ２０１）、次いで撮像素子２０１で撮像した被写体画像に基づくコントラスト法によりＡＦ駆動機構２１１を駆動して焦点合わせを行う（Ｓ２０２）。そして、撮像素子２０１で撮像した被写体画像のスルー画像をモニタ装置９のＥＬディスプレイ１０に表示する（Ｓ２０３）。このとき、ＣＰＵ２００はカメラが「右利き」に設定されているときには、図１０（ａ）のように、モニタ装置９の背面から見て左側の領域にスルー画像ＴＶを表示し、右側の領域に各種操作スイッチの表示、ここではズーム機構のテレ、ワイド、及びストロボの各表示を行う。これらの表示はスイッチ基板１１に配設した各スイッチＳＷに対応する位置であることは言うまでもない。したがって、撮影者はカメラを保持している右手の親指等でズーム操作やストロボ操作を行うことが可能になる。この表示を利用して撮影者がズーミング操作を行うことで、ズーム機構２１３のズーム設定が行われ、モニタ装置９での被写体画像の表示は設定された焦点距離でのスルー画像となる（Ｓ２０４）。また、カメラが「左利き」に設定されているときには、図１０（ｂ）のように、モニタ装置９の背面から見て右側の領域にスルー画像ＴＶを表示し、左側の領域にズーム機構のテレ、ワイド、及びストロボの各操作スイッチの表示を行う。したがって、撮影者はカメラを保持している左手の親指等でズーム操作やストロボ操作を行うことが可能になる。
【００２５】
しかる上で、有効にされたレリーズ釦８Ｒ又は８Ｌが半押されると測光スイッチがオンするため、ＣＰＵ２００は測光を行い（Ｓ２０５）、およびＡＦコントラスト法による焦点合わせ（Ｓ２０６）を行い、絞り値とシャッタ速度を決定する（Ｓ２０７）。次いで、当該レリーズ釦８Ｒ又は８Ｌが全押しされると（Ｓ２０８）、ＣＰＵ２００は撮像素子２０１で撮像した被写体の撮像信号から画像を得る処理を行い、同時に撮像した被写体画像をモニタ装置９に表示する（Ｓ２０９）。さらに得られた画像のデータをメモリに記録する（Ｓ２１０）。記録された画像は再生釦６を操作することでモニタ装置９に表示することが可能である。その後は、図７のフローにおいて、メインスイッチ５の状態を判断し（Ｓ１１５）、メインスイッチ５がオンであるときにはステップＳ１０８に戻る。
【００２６】
このように、実施例１のデジタルカメラでは、モニタ装置９の表示画面をカメラ本体１の後面のほぼ全領域にわたって形成しているので、カメラ本体１を小型化しても表示画面が小さくなることはなく、モニタ装置９に表示された被写体の撮像スルー画像による撮影フレーミングが容易になり、また再生像のピントの確認が容易になる。また、モニタ装置９の表示を利用してスイッチ基板１１の各スイッチＳＷを種々のスイッチ機能に割り当てることができるので、多種類のスイッチを少ない数のスイッチで構成でき、スイッチの配列に余裕ができ、スイッチ操作性を高めることができる。特に、ＥＬディスプレイ１０の表面を指で押圧して凹ませることでスイッチ基板１１のスイッチＳＷを構成しているスイッチ片１１４を弾性変形してオン・オフ動作させるので、スイッチ片１１４を弾性変形した際に触感としてクリック感が得られることになり、撮影者はスイッチ動作が確実に行われたことを確認することができ、誤操作の発生を未然に防止するとともに安心感を与えることができる。また、同時にスイッチ機能の表示を大きくして見易くすることができる。さらに、実施例１では、左右にレリーズ釦８Ｌ，８Ｒを備えて、設定によりいずれかのレリーズ釦を有効にしているので、撮影者の利き腕に左右されず、しかも自分撮りの場合でも撮影時の操作性を改善するとともに、モード設定等の各種スイッチの操作性を向上することができる。
【００２７】
実施例１では「利き腕設定」及び「自分撮り設定」に基づいて有効となるレリーズ釦を設定しているが、これらの設定を行うことなく、撮影者が左右のレリーズ釦８Ｌ，８Ｒのいずれか一方を押した時点でＣＰＵ２００が当該押下されたレリーズ釦が左右のいずれかであるかを認識し、認識したレリーズ釦での撮影操作に対応した形態でモニタ装置９に被写体画像や複数のスイッチの各機能の表示を行うようにしてもよい。これにより、右利きあるいは左利きのいずれの場合、あるいは自分撮りの場合でも撮影を好適に行うことが可能になる。
【実施例２】
【００２８】
図１１は実施例２のデジタルカメラを前側から見た斜視図であり、実施例１と同一部分には同一符号を付してある。この実施例２では、左右の各レリーズ釦８Ｌ，８ＲをＥＬディスプレイとスイッチとで構成し、ＥＬディスプレイによってレリーズ釦の有効性を表示したものである。すなわち、図１２は図１１のＣ−Ｃ線に沿う拡大断面図であり、この図では左レリーズ釦８Ｌの釦体の代わりにＥＬディスプレイ１０を配設し、ＥＬディスプレイ１０の直下には実施例１のレリーズ釦と同様なスイッチ基板８１を配設して左レリーズ釦８Ｌを構成した例を示している。ＥＬディスプレイ１０は上飾り１ａの開口１ｂ内に嵌合状態に支持している。スイッチ基板８１については実施例１の図５と同じ符号を付してある。すなわち、スイッチパッド８１２，８１３，８１６を設けた絶縁基板８１１上に導電性バネ材からなるスイッチ片８１４を設け、その上に設けた第２スイッチ片８１５をＥＬディスプレイ１０の基側フィルムに接触させたものである。第２スイッチ片８１５とスイッチ片８１４とで測光スイッチが構成され、スイッチ片８１４とスイッチパッド８１３とでレリーズスイッチが構成される。
【００２９】
この実施例２では、左右のレリーズ釦８Ｌ，８ＲのいずれかのＥＬディスプレイ１０を選択した上で発光させ、あるいは所要の表示を行うことにより、発光あるいは表示されたＥＬディスプレイ１０をレリーズ釦として機能させることができる。発光あるいは表示されたＥＬディスプレイ１０を指等で押圧することで、図５に示したように第２スイッチ片８１５が弾性変形され、さらにスイッチ片８１４が弾性変形されることで測光スイッチ、レリーズスイッチをオンさせることができる。このようにすることで、実施例１のレリーズ釦の釦体８２とＬＥＤ８４をＥＬディスプレイ１０で兼用した構成にでき、構成が簡略化できる。このとき、ＥＬディスプレイ１０を指で押圧して凹ませるとスイッチ基板８１の第２スイッチ片８１５とスイッチ片８１４を順次弾性変形させてスイッチ動作させるので、測光スイッチ及びレリーズスイッチのいずれの操作時にもクリック感を得ることができ、確実なスイッチ操作が可能になる。また、この実施例２ではレリーズ釦として有効でない側のＥＬディスプレイの表示を適宜に変更することで、当該レリーズ釦を一時的に他の機能のスイッチ釦として機能させることも可能である。
【００３０】
実施例２のデジタルカメラでも、モニタ装置の表示画面をカメラ本体の後面のほぼ全領域にわたって形成でき、カメラ本体を小型化してもモニタ画面が小さくなることはなく、撮像スルー画像による撮影フレーミングが容易になり、再生像のピントの確認が容易になる。また、モニタ装置の表示を利用して各種操作用のスイッチを構成することでスイッチの配列に余裕ができ、スイッチ操作性を高めるとともにスイッチ機能を大きく表示して見易くすることができる。この場合でもスイッチのクリック感が得られることは言うまでもない。さらに、左右にレリーズ釦を備えて、設定によりいずれかのレリーズ釦を有効にしているので、撮影者の利き腕に左右されず、しかも自分撮りの場合でも撮影時の操作性を改善するとともに、モード設定等の各種スイッチの操作性を向上することができる。特に、有効となるレリーズ釦をＥＬディスプレイにより表示するので、有効なレリーズ釦を確実に確認することができ、シャッターチャンスを逃がすようなこともない。
【００３１】
以上の実施例では、本発明のＥＬ表示装置をレンズシャッタ式のデジタルカメラに適用したが、モニタ装置の大型化を図ることを目的とするものであればデジタル一眼レフカメラにも適用することができる。
【図面の簡単な説明】
【００３２】
【図１】実施例１のデジタルカメラを前方から見た斜視図である。
【図２】実施例１のデジタルカメラを後方から見た斜視図である。
【図３】図２のＡ−Ａ線に沿う拡大断面図である。
【図４】ＥＬディスプレイの拡大断面図である。
【図５】図１のＢ−Ｂ線に沿う拡大断面図である。
【図６】実施例１のデジタルカメラのブロック構成図である。
【図７】動作を説明するためのメインフローチャートである。
【図８】サブフローチャートである。
【図９】モニタ装置におけるメニュー表示の一例を示す図である。
【図１０】モニタ装置におけるスルー画像の表示の一例を示す図である。
【図１１】実施例２のデジタルカメラを前方から見た斜視図である。
【図１２】図１１のＣ−Ｃ線に沿う拡大断面図である。
【符号の説明】
【００３３】
１  カメラ本体
５  メインスイッチ
６  再生釦
７  ディスプレイ表示釦
８Ｌ，８Ｒ  レリーズ釦
９  モニタ装置
１０  ＥＬディスプレイ
１１  スイッチ基板
ＳＷ  スイッチ
【図１】
2007036492.tif 000003
【図２】
2007036492.tif 000004
【図３】
2007036492.tif 000005
【図４】
2007036492.tif 000006
【図５】
2007036492.tif 000007
【図６】
2007036492.tif 000008
【図７】
2007036492.tif 000009
【図８】
2007036492.tif 000010
【図９】
2007036492.tif 000011
【図１０】
2007036492.tif 000012
【図１１】
2007036492.tif 000013
【図１２】
2007036492.tif 000014